(57)【要約】【課題】操作が容易で、しかも、帽子全体を均等に拡張できるサイズ拡張器を提供する。【解決手段】一対の半割り型を互いに反対方向にスライドさせることによって帽子のサイズを内側から拡張するサイズ拡張器であって、軸の長さ方向の中心から左右それぞれに右ねじと左ねじとを設けた１本のねじ軸と、該ねじ軸を水平に枢支するフレームと、該フレームの外側においてねじ軸の一端に設けた回転ハンドルと、フレームの内側においてねじ軸の回転によって互いに反対方向にスライドするように右ねじと左ねじそれぞれに螺合する半割り型のテーブルを一対と、該テーブルの下側から半割り型を加熱するヒータとを備える。【選択図】図１
0003215272.tif 000002
【実用新案登録請求の範囲】
【請求項１】
一対の半割り型を互いに反対方向にスライドさせることによって帽子のサイズを内側から拡張するサイズ拡張器であって、軸の長さ方向の中央から左右それぞれに右ねじと左ねじとを設けた１本のねじ軸と、該ねじ軸を水平に枢支するフレームと、該フレームの外側において前記ねじ軸の一端に設けた回転ハンドルと、前記フレームの内側において前記ねじ軸の回転によって互いに反対方向にスライドするように前記右ねじと左ねじそれぞれに螺合する前記半割り型固定用のテーブルを一対と、該テーブルの下側から前記半割り型を加熱するヒータとを備える帽子のサイズ拡張器。
【請求項２】
ねじ軸における右ねじと左ねじは同一ピッチである請求項１記載の帽子のサイズ拡張器。
【請求項３】
フレームには、ねじ軸と平行してテーブルを挿通する少なくとも一対のガイドバーを設けた請求項１または２記載の帽子のサイズ拡張器。
【請求項４】
さらに、ヒータを収容する台箱を備え、該台箱の上面にフレームを設けた請求項１、２または３記載の帽子のサイズ拡張器。
【請求項５】
さらにまた、回転ハンドルのカウンタを備えた請求項１から４のうち何れか一項記載の帽子のサイズ拡張器。
【請求項６】
また、回転ハンドルの回転を任意に制止するストッパを備えた請求項１から５のうち何れか一項記載の帽子のサイズ拡張器。
【考案の詳細な説明】
【技術分野】
【０００１】
この考案は、製作した帽子を個人の頭囲等に、より合致するように拡張する帽子のサイズ拡張器に関する。
【背景技術】
【０００２】
帽子を購入する際、特にハットなどの比較的かっちりした帽子は、自身のサイズに合ったものを選ぶことが重要であるが、製作用の型は１ｃｍ刻みや１／８インチ刻みというように製作寸法が決められている関係上、完成した帽子は必ずしも自身の頭囲等にぴったり合わない場合がある。
【０００３】
この場合、ワンサイズ小さい帽子をストレッチャー装置によって拡張して、自身の頭囲等に合致するようにサイズ拡張を行う。そして、このようなストレッチャー装置として、帽子を被せる部分を一対の半割り型で構成し、この半割り型を開閉可能にスライドさせるようにしたものが公知である（特許文献１・２）。
【先行技術文献】
【特許文献】
【０００４】
【特許文献１】米国特許第１５８１９４０号明細書
【特許文献２】実公昭１１−３２９７号公報
【考案の概要】
【考案が解決しようとする課題】
【０００５】
しかしながら、特許文献１のもの（ＨＡＴ  ＳＴＲＥＴＣＨＥＲ）は、一対の半割り型のうち、片方の半割り型は固定されており、他方の半割り型のみをスライドさせるものであるため、サイズ拡張時にスライド側と固定側とで拡張の程度が異なるなど、ムラが生じやすいという課題があった。
【０００６】
これに対して特許文献２のもの（帽子引伸器）は、一対の半割り型が同時にスライドするように構成したものであるが、このスライド操作は装置中央にある廻転筒（１３）を回転させるものであるから、上方から半割り型に帽子を被せた後は、装置の下側から廻転筒（１３）を操作することを余儀なくされ、半割り型の開き具合も下から覗き込む必要があり、作業性が悪いものであった。また、サイズ拡張時は半割り型を加熱するが、特許文献２のものでは廻転筒（１３）も加熱されてしまうため、そもそもスライド操作が極めて困難である。さらに、特許文献２のものは、半割り型が弧状引伸片（１）（２）で構成されているため、両片を組み合わせるとドーナツ状となり、加熱時の熱気が中央の空洞から直接帽子に伝わって、生地を焦がしてしまうおそれもある。
【０００７】
本考案は上述した課題を解決するためになされたもので、その目的とするところは、操作が容易で、しかも、帽子全体を均等に拡張できるサイズ拡張器を提供することにある。
【課題を解決するための手段】
【０００８】
上述した目的を達成するために本考案では、一対の半割り型を互いに反対方向にスライドさせることによって帽子のサイズを内側から拡張するサイズ拡張器であって、軸の長さ方向の中央から左右それぞれに右ねじと左ねじとを設けた１本のねじ軸と、該ねじ軸を回転自在に枢支するフレームと、該フレームの外側において前記ねじ軸の一端に設けた回転ハンドルと、前記フレームの内側において前記ねじ軸の回転によって互いに反対方向にスライドするように前記右ねじと左ねじそれぞれに螺合する前記半割り型固定用のテーブルを一対と、該テーブルの下側において前記フレームの内側に固定した熱源とを備えるという手段を用いた。
【０００９】
本考案では、ねじ軸がテーブルの送りねじ機構を構成するもので、しかも、ねじ軸に右ねじと左ねじの双方を設けているため、テーブルの開閉ねじとして機能する。特に、本考案では、ねじ軸をその一端に設けた回転ハンドルによってフレームの外側から回転操作するため、半割り型に帽子を被せた後の作業が行いやすく、また、帽子の状態を上方から視認しやすい。なお、ねじ軸における右ねじと左ねじを同一ピッチとすることで、一対のテーブルを同一速度でスライドさせることができるため、より均等に帽子サイズを拡張することができる。
【００１０】
フレームには、ねじ軸と平行してテーブルを挿通する少なくとも一対のガイドバーを設けることが好ましい。ガイドバーによってテーブル（半割り型）を正確に水平にスライドさせることができるからである。
【００１１】
さらに、ヒータを収容する台箱を備え、該台箱の上面にフレームを設けることが好ましい。ヒータからの熱を効率よく半割り型に伝熱することができるからである。
【００１２】
さらにまた、回転ハンドルのカウンタを備えることが好ましい。カウンタの数値によってサイズ拡張の目標値を明確に把握することができるからである。なお、カウンタの数値は、ねじ軸の回転数以外、当該回転数から導かれるテーブル（半割り型）同士の離間距離をセンチまたはインチによって表示することであってもよい。
【００１３】
また、回転ハンドルの回転を任意に制止するストッパを備えることで、帽子の拡張状態を一定時間保持して、確実に帽子サイズを拡張することができる。
【考案の効果】
【００１４】
本考案によれば、操作が容易で、しかも、帽子全体を均等に拡張できるサイズ拡張器を提供することができた。
【図面の簡単な説明】
【００１５】
【図１】本考案の一実施形態に係る帽子のサイズ拡張器の斜視図
【図２】同、平面図
【図３】同、正面図
【図４】同、背面図
【図５】同、内部構造を示した説明図
【考案を実施するための形態】
【００１６】
以下、本考案の好ましい実施の形態を添付した図面に従って説明する。図１は、本考案の一実施形態に係る帽子のサイズ拡張器の斜視図、図２は平面図、図３は正面図、図４は背面図、図５は内部構造を示した説明図であって、１は台箱、２は台箱１の上面に設けたロ字状の矩形フレーム、３は上面に半割り型Ｈを固定し、フレーム２内を長手方向にスライドする左右一対のテーブル、４はテーブル３の回転ハンドルである。また、５は回転ハンドルのカウンタ、６は回転ハンドルのストッパである。さらに、内部構造において、７はヒータ、８は温度センサである。
【００１７】
台箱１は、内部が空洞であり、四つの側面には壁面を設け、その上面と底面は開口している。そして、上面にフレーム２を固定している。また、前面には、ヒータ７の電源スイッチ１ａと温度調整用ボリューム１ｂを設け、背面には電源コンセント１ｃを設けている。これらは図示しない電気回路によって接続されている。なお、電源は商用交流電源１００ｖや２００ｖの他、バッテリーなどの直流電源であってもよい。
【００１８】
フレーム２は、左右に長い矩形のロ字状を呈し、中央には長手方向に沿ってねじ軸９を水平に枢支している。このねじ軸９の一端にストッパ６及びカウンタ５を介して回転ハンドル５に連結している。また、このねじ軸９を中心に挟んで、その前後には一対のガイドバー１０をねじ軸９と平行するように固定している。
【００１９】
左右一対のテーブル３は、それぞれの上面に、帽子の基本型を縦に半割した半割り型Ｈを適当な手段で固定するもので、ねじ軸９を送りねじとして、回転ハンドル４の回転操作により、互いに離間するように反対向きにスライドするものである。
【００２０】
即ち、ねじ軸９は、軸の長さ方向の中心から左右それぞれに右ねじ９ａと左ねじ９ｂとが設けられており、テーブル３・３それぞれの下面には、各ねじに螺合する雌ねじ部３ａが設けられている。したがって、ねじ軸９が一方向に回転すれば、テーブル３・３は互いに離間する方向にスライドし、この状態からねじ軸９を反対方向に回転すればテーブル３・３が互いに接近する方向にスライドする。特に、この実施形態では、右ねじ９ａと左ねじ９ｂを同一ピッチで設けているので、一対のテーブル３・３のスライド長が一致する。このため、帽子をより均等に拡張してサイズ調整することができる。
【００２１】
また、雌ねじ部３ａを挟んでテーブル３の下面前後には、ガイドバー１０が挿通するスライダ３ｂが一対設けられており、テーブル３を水平にスライドさせるようにしている。
【００２２】
ヒータ７は電熱線等の公知手段によって構成することができる。その熱は台箱１に蓄積されると共に、上昇した熱がテーブル３を介して半割り型Ｈを加熱する。台箱１内の温度は温度センサ８によって自動的に一定範囲での恒温状態となるように制御される。
【００２３】
上記構成からなる本器の使用方法は従来と変わらないが、本器では、電源投入後、温度調整用ボリューム１ｂによってサイズ調整する帽子生地に応じた温度に設定することで、ヒータ７の熱が台箱１内に蓄積されるため、効率よく、しかも均等に半割り型Ｈを温めることができる。
【００２４】
そして、テーブル３をスライドさせるためのねじ軸９の回転ハンドル４が台箱１の外側に設けられているため、安全に操作することができる。また、どの程度スライドさせたかをカウンタ５によって確認することができるため、過不足なくサイズを拡張することができる。さらに、ストッパ６によって回転ハンドル４を最適な位置で制止することができる。
【００２５】
なお、台箱１の例えば背面の壁面を透明あるいは半透明の耐熱性樹脂板で構成することで、この背面を点検窓として、ねじ軸９や雌ねじ部３ａ（テーブル３）の位置を目視によって確認することも可能となる。
【符号の説明】
【００２６】
１  台箱
２  フレーム
３  テーブル
４  回転ハンドル
５  カウンタ
６  ストッパ
７  ヒータ
８  温度センサ
９  ねじ軸
Ｈ  半割り型
【図１】
0003215272.tif 000003
【図２】
0003215272.tif 000004
【図３】
0003215272.tif 000005
【図４】
0003215272.tif 000006
【図５】
0003215272.tif 000007